【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
クライアントコンピュータと通信するデバイス管理装置であって、
ユーザごとにデバイスの出力情報を管理する出力管理手段と、
ドライバをインストールしようとするユーザを特定する特定手段と、
前記特定手段が特定したユーザの、前記出力管理手段で管理される出力情報に基づいて、デバイスを抽出するデバイス抽出手段と、
前記デバイス抽出手段により抽出されたデバイスのドライバを前記クライアントコンピュータに送信する送信手段と
を備えたことを特徴とするデバイス管理装置。
【請求項２】
前記出力情報には、プリンタデバイスによるユーザ毎の出力枚数情報を含み、
前記デバイス抽出手段は、ユーザの各プリンタデバイスへの累計出力枚数を基準にプリンタデバイスを抽出することを特徴とする請求項１に記載のデバイス管理装置。
【請求項３】
前記出力情報には、ユーザ毎の最終使用時期情報を含み、
前記デバイス抽出手段は、ユーザの各デバイスの最終使用時期を基準にデバイスを抽出することを特徴とする請求項１に記載のデバイス管理装置。
【請求項４】
前記出力情報には、プリンタデバイスによるユーザ毎の出力枚数情報と、ユーザ毎の最終使用時期情報とを含み、
前記デバイス抽出手段は、ユーザの各プリンタデバイスへの累計出力枚数とユーザの各プリンタデバイスの最終使用日を基準にプリンタデバイスを抽出することを特徴とする請求項１に記載のデバイス管理装置。
【請求項５】
前記デバイス抽出手段は、前記出力情報に基づいて抽出されたデバイスから、さらにデバイスの有する機能に基づいてデバイスを抽出することを特徴とする請求項１乃至４の何れか１項に記載のデバイス管理装置。
【請求項６】
前記デバイスの有する機能として、カラー印刷機能、フィニッシャ機能及び製本機能の少なくとも何れか１つが含まれることを特徴とする請求項５に記載のデバイス管理装置。
【請求項７】
前記特定手段は、ユーザのログイン要求時に入力される情報を用いて、ドライバをインストールしようとするユーザを特定することを特徴とする請求項１乃至６のいずれか１項に記載のデバイス管理装置。
【請求項８】
前記抽出手段により抽出されたデバイスに関するデバイス情報をクライアントコンピュータに送信するデバイス情報送信手段とを更に備え、
前記送信手段は、前記抽出手段が抽出したデバイスの中から前記クライアントコンピュータにおいて選択されたデバイスのドライバを送信することを特徴とする請求項１乃至７の何れか１項に記載のデバイス管理装置。
【請求項９】
ユーザ毎のデバイスの出力情報を管理し、入力された条件に従うデバイスを、前記出力情報に基づいて抽出するデバイス管理サーバと接続されたクライアント装置であって、
デバイスの抽出条件を入力するための第１のユーザインターフェース手段と、
前記第１のユーザインターフェース手段を介して入力された抽出条件を前記デバイス管理サーバに送信し、それに対して抽出されたデバイス情報を受信する抽出デバイス情報受信手段と、
前記抽出デバイス情報受信手段により受信したデバイス情報に係るデバイスから、さらにデバイスを選択するための第２のユーザインターフェース手段と、
前記第２のユーザインターフェース手段を介して選択されたデバイスのデバイス情報を前記デバイス管理サーバに送信する送信手段とを備え、
前記送信手段により送信されたデバイス情報に係るデバイスのドライバが、前記デバイス管理サーバから送信され、インストールされることを特徴とするクライアント装置。
【請求項１０】
デバイスの抽出条件を入力するための第１のユーザインターフェース手段と、
前記第１のユーザインターフェース手段を介して入力された前記抽出条件に従って、デバイスを抽出する抽出手段と、
前記抽出手段により抽出されたデバイスに対して、デバイスドライバをインストールするインストール手段と
を備えることを特徴とするデバイス管理システム。
【請求項１１】
前記抽出手段により抽出されたデバイスから、さらにデバイスを選択するための第２のユーザインターフェース手段をさらに備え、
前記インストール手段は、前記抽出手段により抽出され、さらに前記第２のユーザインターフェース手段を介して選択されたデバイスに対して、デバイスドライバをインストールすることを特徴とする請求項１０に記載のデバイス管理システム。
【請求項１２】
請求項１乃至８に記載のデバイス管理装置の各手段としてコンピュータを機能させるためのコンピュータプログラム。
【請求項１３】
請求項９に記載のクライアント装置の各手段としてコンピュータを機能させるためのコンピュータプログラム。
【請求項１４】
クライアントコンピュータを利用するユーザごとにデバイスの出力情報を管理する出力管理ステップと、
特定されたユーザの、前記出力管理ステップで管理される出力情報に基づいてデバイスを抽出するデバイス抽出ステップと、
前記デバイス抽出ステップにより抽出されたデバイスのドライバを前記クライアントコンピュータにインストールするドライバインストールステップと
を備えたことを特徴とするデバイス管理方法。
【請求項１５】
ユーザ毎のデバイスの出力情報を管理し、入力された条件に従うデバイスを、前記出力情報に基づいて抽出するデバイス管理サーバと接続されたクライアント装置におけるデバイス管理方法であって、
デバイスの抽出条件を入力するための第１のユーザインターフェースを表示するユーザインターフェースステップと、
前記第１のユーザインターフェースを介して入力された抽出条件を前記デバイス管理サーバに送信し、それに対して抽出されたデバイス情報を受信する抽出デバイス情報受信ステップと、
前記抽出デバイス情報受信ステップにより受信したデバイス情報に係るデバイスから、さらにデバイスを選択するための第２のユーザインターフェースを表示する第２のユーザインターフェースステップと、
前記第２のユーザインターフェースを介して選択されたデバイスのデバイス情報を前記デバイス管理サーバに送信する送信ステップとを備え、
前記送信ステップにより送信されたデバイス情報に係るデバイスのドライバが、前記デバイス管理サーバから送信され、インストールされることを特徴とするデバイス管理方法。
【請求項１６】
デバイスの抽出条件を入力するためのユーザインターフェースを表示するユーザインターフェースステップと、
前記ユーザインターフェースを介して入力された前記抽出条件に従って、デバイスを抽出する抽出ステップと、
前記抽出ステップにより抽出されたデバイスに対して、デバイスドライバをインストールするインストールステップと
を備えることを特徴とするデバイス管理方法。
【手続補正２】
【補正対象書類名】明細書
【補正対象項目名】０００７
【補正方法】変更
【補正の内容】
【０００７】
上記課題を解決するため、本発明は以下の構成を備える。すなわち、クライアントコンピュータと通信するデバイス管理装置において、ユーザごとにデバイスの出力情報を管理する出力管理手段と、ドライバをインストールしようとするユーザを特定する特定手段と、前記特定手段が特定したユーザの、前記出力管理手段で管理される出力情報に基づいて、デバイスを抽出するデバイス抽出手段と、前記デバイス抽出手段により抽出されたデバイスのドライバを前記クライアントコンピュータに送信する送信手段とを備えたことを特徴とする。
【手続補正３】
【補正対象書類名】明細書
【補正対象項目名】０００８
【補正方法】変更
【補正の内容】
【０００８】
あるいは、ユーザ毎のデバイスの出力情報を管理し、入力された条件に従うデバイスを、前記出力情報に基づいて抽出するデバイス管理サーバと接続されたクライアント装置であって、デバイスの抽出条件を入力するための第１のユーザインターフェース手段と、前記第１のユーザインターフェース手段を介して入力された抽出条件を前記デバイス管理サーバに送信し、それに対して抽出されたデバイス情報を受信する抽出デバイス情報受信手段と、前記抽出デバイス情報受信手段により受信したデバイス情報に係るデバイスから、さらにデバイスを選択するための第２のユーザインターフェース手段と、前記第２のユーザインターフェース手段を介して選択されたデバイスのデバイス情報を前記デバイス管理サーバに送信する送信手段とを備え、前記送信手段により送信されたデバイス情報に係るデバイスのドライバが、前記デバイス管理サーバから送信され、インストールされることを特徴とする。